(57)【特許請求の範囲】
【請求項１】
通話機器ケースの前面を構成する前ケースに設けられた押しボタンの後方への押し込み操作に伴い、前記通話機器ケースの内部で前記押しボタンの後方に配置されたスイッチをオン／オフ動作させる通話機器の押しボタン装置であって、
前記押しボタンは、前記通話機器ケースの前面に露出する操作部と、前記操作部から上下方向へ延びる帯片とを備えており、
前記帯片の先端に、前記押しボタンを前記前ケースの後面に固定する固定部を設ける一方、前記帯片の前記操作部と前記固定部との間の所望の位置を支点とし、前記支点から前後方向へ支点リブを突設、若しくは、前記前ケースの後面又は前記スイッチを有する回路基板から前記支点へ向けて支点リブを突設して、前記支点リブを介して前記支点を前記前ケースの後面と前記スイッチを有する回路基板の前面とにより挟み込んだ状態で前記押しボタンを設けるとともに、
前記押しボタンを、通話のためのスピーカに隣接して設け、前記帯片に、前記押しボタンを前記前ケースに固定するに伴い、前記スピーカの後面に当接して前記スピーカを設置状態で支持する押さえ片を設けたことを特徴とする通話機器の押しボタン装置。
【請求項２】
前記帯片の前記支点から後方へ支点リブを突設し、前記支点リブの先端を前記回路基板の前面に当接させた状態で前記押しボタンを設けたことを特徴とする請求項１に記載の通話機器の押しボタン装置。
【請求項３】
前記前ケースの後面から前記帯片の前記支点リブを設けた位置の前面側へ向けて、若しくは、前記帯片の前記支点リブを設けた位置の前面側から前記前ケースへ向けて支持リブを突設し、前記支持リブの先端を、前記帯片の前面、若しくは、前記前ケースの後面に当接させた状態で前記押しボタンを設けたことを特徴とする請求項２に記載の通話機器の押しボタン装置。
【発明の詳細な説明】
【技術分野】
【０００１】
本発明は、インターホンや電話機等の通話機器に使用される押しボタン装置に関し、特にケース内側に組み付けて、押しボタン部をケース開口部から露出させた押しボタン装置に関するものである。
【背景技術】
【０００２】
従来、インターホンや電話機等の通話機器には、押し込み操作することにより内部スイッチをオン／オフ動作させる比較的操作面の大きな押しボタンが使用されている。このような押しボタンを備えてなる従来の押しボタン装置は、押し込み操作される操作部から一対の帯片を突設し、該帯片の先端に左右外側へ軸部を設ける一方、機器ケースに軸部を軸支可能な軸受を設けて構成されており、押し込み操作により操作部が軸部を中心に回動し、操作部の背部に設けられたスイッチをオン／オフ動作させるようになっていた。
【０００３】
また、軸部を軸受へ軸支させるに際しては、ケースの内側に、左右方向に所定の間隔を隔てて一対の壁部を対向状に突設して該壁部に軸孔を形成し、左右何れか一方の軸部を軸孔へ挿入又は係合させた後、他方の軸部については、帯片若しくは壁部を撓ませて軸孔へ挿入又は係合させていた（たとえば特許文献１）。
そして、このような構造により、軸受を形成した壁部が押しボタンの軸方向である左右方向でのガタ付きを防止し、押しボタンの良好な押し込みを図っていた。
【先行技術文献】
【特許文献】
【０００４】
【特許文献１】特開２００５−２２８５９０号公報
【発明の概要】
【発明が解決しようとする課題】
【０００５】
しかしながら、従来の押しボタン装置では、上述したように軸部を軸孔へ挿入又は係合させる際に帯片若しくは壁部を撓ませなければならない。したがって、撓ませた際に帯片や壁部が破損してしまうおそれがあるし、そのような破損に注意しながら一々帯片若しくは壁部を撓ませなければならないとなると取付作業が非常に煩わしいという問題がある。
また、押しボタンを操作する際の押圧力は、押しボタンに一体的に設けられた弾性片の弾性力等により決定されるが、押圧力を調整したい場合には、この弾性片の長さや形状を変更して弾性力を変更する必要があり、大きな設計変更が必要であった。
【０００６】
そこで、本発明は、上記問題に鑑みなされたものであって、押しボタンを取り付ける際に破損等が生じる心配がなく、取付作業が容易である上、押圧力の変更にそれほど大きな設計変更を必要としない通話機器の押しボタン装置を提供しようとするものである。
【課題を解決するための手段】
【０００７】
上記目的を達成するために、本発明のうち請求項１に記載の発明は、通話機器ケースの前面を構成する前ケースに設けられた押しボタンの後方への押し込み操作に伴い、通話機器ケースの内部で押しボタンの後方に配置されたスイッチをオン／オフ動作させる通話機器の押しボタン装置であって、押しボタンは、通話機器ケースの前面に露出する操作部と、操作部から上下方向へ延びる帯片とを備えており、帯片の先端に、押しボタンを前ケースの後面に固定する固定部を設ける一方、帯片の操作部と固定部との間の所望の位置を支点とし、支点から前後方向へ支点リブを突設、若しくは、前ケースの後面又はスイッチを有する回路基板から支点へ向けて支点リブを突設して、支点リブを介して支点を前ケースの後面とスイッチを有する回路基板の前面とにより挟み込んだ状態で押しボタンを設けるとともに、押しボタンを、通話のためのスピーカに隣接して設け、帯片に、押しボタンを前ケースに固定するに伴い、スピーカの後面に当接してスピーカを設置状態で支持する押さえ片を設けたことを特徴とする。
この構成によれば、押しボタンに、通話機器ケースの前面に露出する操作部と、操作部から上下方向へ延びる帯片とを備え、帯片の先端に、押しボタンを前ケースの後面に固定する固定部を設ける一方、帯片の操作部と固定部との間の所望の位置を支点とし、支点から前後方向へ支点リブを突設、若しくは、前ケースの後面又はスイッチを有する回路基板から支点へ向けて支点リブを突設して、支点リブを介して支点を前ケースの後面とスイッチを有する回路基板の前面とにより挟み込んだ状態で押しボタンを設けているため、押しボタンを押し込み操作可能に設けるに際して、たとえば帯片を撓ませたりする必要がなく、押しボタンの破損を心配する必要がない。したがって、押しボタンの取付作業、ひいては通話機器の組み立て作業を非常に容易に行うことができる。また、帯片における支点とする位置を帯片の操作部と固定部との間で変更する、すなわち帯片のどの位置を支点として前ケースの後面と回路基板とで挟み込むかを変更するだけで押しボタン操作時の押圧力を調整することができ、押圧力の調整に従来ほど大きな設計変更を必要としない。
さらに、押しボタンを前ケースに固定するに伴い、押さえ片がスピーカの後面に当接してスピーカが設置状態で支持されるため、スピーカを設置状態で支持するための専用の部材（たとえば、ネジ孔を有するネジ止め部）を設ける必要がなく、構成の合理化を図ることができるし、スピーカの設置作業も容易となり、通話機器の組み立て作業を一層容易に行うことができる。
【０００８】
請求項２に記載の発明は、請求項１に記載の発明において、帯片の支点から後方へ支点リブを突設し、支点リブの先端を回路基板の前面に当接させた状態で押しボタンを設けたことを特徴とする。
この構成によれば、帯片の支点から後方へ支点リブを突設し、支点リブの先端を回路基板の前面に当接させた状態で押しボタンを設けているため、押しボタンを後方へ押し込み操作すると、支点リブの先端が回路基板の前面へ押し付けられて位置ズレしにくいため、支点が支点として作用しやすく、押し込み操作時における押しボタンの動作を安定させることができる。
【０００９】
請求項３に記載の発明は、請求項２に記載の発明において、前ケースの後面から帯片の支点リブを設けた位置の前面側へ向けて、若しくは、帯片の支点リブを設けた位置の前面側から前ケースへ向けて支持リブを突設し、支持リブの先端を、帯片の前面、若しくは、前ケースの後面に当接させた状態で押しボタンを設けたことを特徴とする。
この構成によれば、押し込み操作時に帯片が該支持リブの当接位置、すなわち支点リブの突設位置を支点として撓みやすく、押し込み操作時における押しボタンの動作を一層安定させることができる。
【発明の効果】
【００１１】
本発明によれば、押しボタンを押し込み操作可能に設けるに際して、たとえば帯片を撓ませたりする必要がなく、押しボタンの破損を心配する必要がないため、押しボタンの取付作業、ひいては通話機器の組み立て作業を非常に容易に行うことができる。また、帯片における支点位置を帯片の操作部と固定部との間で変更するだけで押しボタン操作時の押圧力を調整することができ、押圧力の調整に従来ほど大きな設計変更を必要としない。さらに、押しボタンを前ケースに固定するに伴い、押さえ片がスピーカの後面に当接してスピーカが設置状態で支持されるため、スピーカを設置状態で支持するための専用の部材を設ける必要がなく、構成の合理化を図ることができるし、スピーカの設置作業も容易となり、通話機器の組み立て作業を一層容易に行うことができる。
【図面の簡単な説明】
【００１２】
【図１】インターホンの玄関子機を前面側から示した説明図である。
【図２】押しボタン及びスピーカを取り付けた状態にある前ケースを後方から示した説明図である。
【図３】押しボタン及び回路基板を取り付けた状態にある前ケースの支点リブの突設位置での上下方向断面を示した説明図である。
【図４】分解状態を示した説明図である。
【図５】押しボタンを前方から示した説明図である。
【発明を実施するための形態】
【００１３】
以下、本発明の一実施形態となる通話機器の押しボタン装置について、図面にもとづき詳細に説明する。
【００１４】
図１は、通話機器の一例であるインターホンの玄関子機１を前面側から示した説明図である。
玄関子機１は、前側に配置される前ケース２と、後側に配置される後ケース（図示せず）とで構成される本体ケースを有しており、この本体ケース内の上部には、通話のためのマイク４や来訪者を撮影するためのカメラユニット５等が設置されている。また、本体ケース内の略中央部には、通話のためのスピーカ６が設置されており、該スピーカ６の下方に、押しボタン７が押し込み操作可能に備えられている。このような玄関子機１は、住戸の玄関の壁面等に設置されており、来訪者によって押しボタン７が押し込み操作されると、図示しない居室親機を呼び出すとともに、カメラユニット５を作動させて来訪者を撮影する。その後、居室親機において応答操作がなされると、居室親機との間で通話可能となる。
【００１５】
ここで、本発明の要部となる押しボタン装置について、図２〜図５をもとに説明する。図２は、押しボタン７及びスピーカ６を取り付けた状態にある前ケース２を後方から示した説明図である。図３は、押しボタン７及び回路基板９を取り付けた状態にある前ケース２の支持リブ１８の突設位置での上下方向断面を示した説明図である。図４は、分解状態を示した説明図である（スピーカ６については図示せず）。図５は、押しボタン７を前方から示した説明図である。
【００１６】
押しボタン装置は、押しボタン７、該押しボタン７の取付機構、及び押しボタン７の操作に応じてオン／オフ動作するスイッチ８を備えた回路基板９とからなる。押しボタン７は、合成樹脂製の部材であって、前ケース２に開設された開口１０から本体ケース外に露出し、来訪者によって押し込まれる操作部１１と、操作部１１の上縁部から上方へ突設される一対の帯片１２、１２と、各帯片１２に設けられた支点リブ１３と、帯片１２、１２の先端間に架設された押さえ片１４とを備えている。操作部１１は、後面が開口する箱状に形成されており、後面開口の周縁には鍔部１１ａが一体的に形成されている。そして、鍔部１１ａ上縁の左右両端部から上方へ、帯片１２、１２が鍔部１１ａと一体的に突設されている。各帯片１２の先端には、ネジ孔１５が穿設されており、押しボタン７を前ケース２の後面へネジ止めする螺着部が設けられている。また、各帯片１２の操作部１１（鍔部１１ａ）とネジ孔１５との間となる位置には、支点リブ１３が後方へ帯片１２と一体的に突設されている。さらに、帯片１２のネジ孔１５同士を繋ぐように帯状の押さえ片１４が帯片１２、１２と一体的に架設されており、該押さえ片１４の略中央位置の前面には、後述するようにスピーカ６の後面に当接する緩衝部材１６が貼着されている。
【００１７】
一方、押しボタン７の取付機構は、前ケース２に設けられており、前ケース２の下部に開設され、上述したように操作部１１を露出させるための開口１０と、押しボタン７をネジ止めするためのネジ止め部１７、１７と、押しボタン７の特に帯片１２、１２を前面側から支持する支持リブ１８、１８とを備えてなる。各ネジ止め部１７は、先端にネジ孔が刻設された柱状体として形成されており、前ケース２の後面で開口１０よりも上方となる位置（すなわち、開口１０内に操作部１１を位置させた際、押しボタン７のネジ孔１５と対応する位置）から後方へ前ケース２と一体的に突設されている。また、各支持リブ１８は、前ケース２の後面で開口１０と各ネジ止め部１７との間となる位置から後方へ、これも前ケース２と一体的に突設されており、押しボタン７をネジ止めした際、各支持リブ１８の先端面が支点リブ１３の前面側となる位置に当接するようになっている。さらに、ネジ止め部１７、１７間には、円形のスピーカ６を設置するためのスピーカ設置部１９が設けられている。
【００１８】
また、回路基板９は、押しボタン７の後方に固定可能となっており、押しボタン７の略全体を覆うことができる大きさを有している。そして該回路基板９の前面には、操作部１１の後方となる位置にスイッチ８が設けられているとともに、各支点リブ１３が嵌入可能で、押しボタン７をネジ止めした際に各支点リブ１３の先端面が底面（背面）に当接可能な凹部２０が設けられている。
【００１９】
上記押しボタン装置１は、スピーカ６をスピーカ設置部１９に設置した後、開口１０内に操作部１１を位置させた状態でネジ止め部１７、１７へ押しボタン７をネジ止めするとともに、押しボタン７の後方に回路基板９を固定することにより組み立てられる。この組み立て状態において、押しボタン７は、支点リブ１３、１３の先端が回路基板９の前面に当接し、且つ、支持リブ１８、１８の先端が支点リブ１３、１３の前面側に当接した状態で、前ケース２の後面と回路基板９とにより前後から挟み込まれた状態となっている。したがって、操作部１１を押し込むと、支点リブ１３、１３の先端が回路基板９に押さえ付けられ、支点リブ１３、１３の突設位置を支点として帯片１２、１２が後方へ撓み、操作部１１がスイッチ８をオン／オフ動作させることになる。また、押しボタン７をネジ止めした状態において、押さえ片１４の緩衝部材１６は、スピーカ６の後面の略中心部に当接しており、スピーカ６を後方から支持している。
【００２０】
以上のような構成を有する押しボタン装置１によれば、押しボタン７をネジ止めにより前ケース２の後面に固定するとともに、押しボタン７において操作部１１とネジ孔１５との間となる位置に支点リブ１３、１３を設け、該支点リブ１３、１３を前ケース２の後面と回路基板９とで前後から挟み込むことにより、支点リブ１３、１３の突設位置を支点として押しボタン７を押し込み操作可能に取り付けている。したがって、押しボタン７の取付時にたとえば帯片１２を撓ませたりする必要がなく、押しボタン７の破損を心配する必要がないため、押しボタン７の取付作業、ひいては玄関子機１の組み立て作業を非常に容易に行うことができる。また、帯片１２における支点リブ１３、１３の突設位置を変更するだけで押しボタン７操作時の押圧力を調整することができ、押圧力の調整に従来ほど大きな設計変更を必要としない。
【００２１】
また、支点リブ１３、１３を帯片１２、１２から後方へ突設しており、各支点リブ１３の先端を押しボタン７の後方に位置する回路基板９の前面に当接させる構成としているため、押しボタン７を後方へ押し込み操作すると、支点リブ１３、１３の先端が回路基板９の前面に押し付けられて位置ズレしにくいため、支点リブ１３、１３の突設位置が支点として作用しやすく、押し込み操作時における押しボタン７の動作を安定させることができる。
【００２２】
さらに、前ケース２の後面から支持リブ１８、１８を後方へ突設しており、押しボタン７の取付状態において、各支持リブ１８の先端を各帯片１２の支点リブ１３の前側となる位置に当接させているため、押し込み操作時に各帯片１２が該支持リブ１８の当接位置、すなわち支点リブ１３の突設位置を支点として撓みやすく、押し込み操作時における押しボタン７の動作を一層安定させることができる。
【００２３】
加えて、押しボタン７に押さえ片１４を設けており、押しボタン７を取り付けた際に、押さえ片１４がスピーカ６の後面に当接状態で位置し、スピーカ６をスピーカ設置部１９内で支持可能としている。したがって、スピーカ６を固定するための専用の部材（たとえば、ネジ孔を有するネジ止め部）を設ける必要がなく、構成の合理化を図ることができるし、スピーカ６の取付作業も容易となり、玄関子機１の組み立て作業を一層容易に行うことができる。
【００２４】
なお、本発明に係る通話機器の押しボタン装置は、上記実施形態の態様に何ら限定されるものではなく、通話機器の構成は勿論、押しボタン７の取付に係る構成等を、本発明の趣旨を逸脱しない範囲で、必要に応じて適宜変更することができる。
【００２５】
たとえば、上記実施形態では、押しボタン７から支点リブ１３、１３を後方へ突設しているが、押しボタン７から前方へ支点リブ１３、１３を突設したり、前ケース２の後面や回路基板９の前面から押しボタン７の帯片１２、１２へ向けて支点リブ１３、１３を突設してもよく、支点リブ１３をどの部材に設けるかについては適宜変更可能である。
また、支持リブ１８、１８については必ずしも設ける必要はなく、帯片１２、１２の前面を前ケース２の後面の表面に当接させて押しボタン７を取り付けるような構成を採用することも可能である。さらに、上記実施形態では支持リブ１８、１８を前ケース２の後面に設けているが、支持リブ１８、１８を帯片１２、１２から前ケース２の後面側へ突設してもよい。
さらに、上記実施形態では、押しボタン７の操作部１１から上方へ一対の帯片１２、１２を設けているが、押しボタン７が前ケース２の略中央位置に設けられているような場合には、帯片１２、１２を操作部１１から下方へ突設してもよいし、２つの帯片ではなく、幅広な１つの帯片を操作部から突設するような構成を採用することも可能である。
【００２６】
さらにまた、押さえ片１４の有無についても適宜変更可能であり、スピーカ６が押しボタン７に隣接していないような場合には押さえ片１４を設ける必要はないし、スピーカ６が押しボタン７に隣接して設けられており、押さえ片を設けるとしても帯片１２、１２の先端間に架設するのではなく、各帯片１２の先端部から隣接側へ舌片を突設し、一対の舌片によりスピーカ６を後方から支持するように構成することも可能である。
加えて、玄関子機１の押しボタン装置について説明しているが、本発明の押しボタン装置は、住戸内に設置するインターホン機器の居室親機や電話機器等の他の通話機器に対しても良好に適用することができる。
【符号の説明】
【００２７】
１・・玄関子機（通話機器）、２・・前ケース、６・・スピーカ、７・・押しボタン、８・・スイッチ、９・・回路基板、１１・・操作部、１１ａ・・鍔部、１２・・帯片、１３・・支点リブ、１４・・押さえ片、１５・・ネジ孔（固定部）、１６・・緩衝部材、１７・・ネジ止め部、１８・・支持リブ、１９・・スピーカ設置部、２０・・凹部。
【図１】
0005547671.tif 000002
【図２】
0005547671.tif 000003
【図３】
0005547671.tif 000004
【図４】
0005547671.tif 000005
【図５】
0005547671.tif 000006